(57)【要約】【課題】１本構タイプと２本構タイプとがある工事用エレベータにおいて、製造コストの削減を図ると共に、リース元等の保管場所での保有資材の効率運用及び汎用性の向上を図ることができる技術を提供する。【解決手段】工事対象の建物躯体に固定される昇降用マストＭと、昇降用マストＭに昇降可能に取り付けられる駆動フレーム３０ａと、駆動フレーム３０ａに固定されるケージユニットＣａと、を備えた工事用エレベータＥ１ａであって、ケージユニットＣａが、一の駆動フレーム３０ａを後方側に配置する１本構配置状態と、一対の駆動フレームの夫々を両側面側に配置する２本構配置状態とで、駆動フレームの配置状態を選択可能に構成されている。【選択図】図１
2019014567.tif 000002
【特許請求の範囲】
【請求項１】
工事対象の建物躯体に固定される昇降用マストと、
前記昇降用マストに昇降可能に取り付けられる駆動フレームと、
前記駆動フレームに固定されるケージユニットと、を備えた工事用エレベータであって、
前記ケージユニットが、一の駆動フレームを後方側に配置する１本構配置状態と、一対の駆動フレームの夫々を両側面側に配置する２本構配置状態とで、前記駆動フレームの配置状態を選択可能に構成されている工事用エレベータ。
【請求項２】
前記１本構配置状態で配置される一の駆動フレームと、前記２本構配置状態で配置される一対の駆動フレームの夫々とが、共通の昇降用マストに対して昇降可能に取り付けられるように構成されている請求項１に記載の工事用エレベータ。
【請求項３】
前記ケージユニットが、前後側の夫々の開放部に取り付けられる一対のパネルモジュールを有すると共に、当該パネルモジュールが、前記開放部を覆う固定パネルモジュール、及び、前記開放部の開閉を行う扉パネルモジュールから選択可能に構成されている請求項１又は２に記載の工事用エレベータ。
【請求項４】
前記ケージユニットが、前後側の夫々の開放部に取り付けられる一対のパネルモジュールを有すると共に、当該一対のパネルモジュールの間に中間枠モジュールを介装可能又はその連結個数を変更可能に構成されている請求項１〜３の何れか１項に記載の工事用エレベータ。
【請求項５】
前記駆動フレームが、複数種の前記ケージユニットの夫々を支持する複数種の支持フレームを択一的に着脱可能に構成されている請求項１〜４の何れか１項に記載の工事用エレベータ。
【発明の詳細な説明】
【技術分野】
【０００１】
本発明は、工事対象の建物躯体に固定される昇降用マストと、前記昇降用マストに昇降可能に取り付けられる駆動フレームと、前記駆動フレームに固定されるケージユニットと、を備えた工事用エレベータに関する。
【背景技術】
【０００２】
従来の工事用エレベータとしては、ケージユニットの後方側に一の駆動フレームを配置して１本の昇降用マストで昇降する１本構タイプの工事用エレベータ（特許文献１の図１を参照。）、及び、ケージユニットの両側面側に一対の駆動フレームを配置して２本の昇降用マストで昇降する２本構タイプの工事用エレベータ（特許文献１の図１４を参照。）が知られている。そして、工事現場の規模や状況等に応じて、設置する工事用エレベータのタイプやサイズ等が選択される。
【０００３】
このような工事用エレベータは、通常リース商品等として再利用可能に構成されており、工事現場に設置する以外の非利用時には、フレームやユニット毎に分解した状態でリース元等の保管場所に保管されている。
【先行技術文献】
【特許文献】
【０００４】
【特許文献１】特開２００７−２３０６６８号公報
【発明の概要】
【発明が解決しようとする課題】
【０００５】
従来の工事用エレベータでは、１本構タイプと２本構タイプとが夫々個別に専用設計されており、それら間で別の構成を有することから、夫々の製造コストが嵩む上に、リース元等の保管場所にて夫々のタイプのケージユニットを準備しておくための広大なスペースが必要となり、保管コストが嵩むという問題があった。
【０００６】
この実情に鑑み、本発明の主たる課題は、１本構タイプと２本構タイプとがある工事用エレベータにおいて、製造コストの削減を図ると共に、リース元等の保管場所での保有資材の効率運用及び汎用性の向上を図ることができる技術を提供する点にある。
【課題を解決するための手段】
【０００７】
本発明の第１特徴構成は、工事対象の建物躯体に固定される昇降用マストと、
前記昇降用マストに昇降可能に取り付けられる駆動フレームと、
前記駆動フレームに固定されるケージユニットと、を備えた工事用エレベータであって、
前記ケージユニットが、一の駆動フレームを後方側に配置する１本構配置状態と、一対の駆動フレームの夫々を両側面側に配置する２本構配置状態とで、前記駆動フレームの配置状態を選択可能に構成されている点にある。
【０００８】
本構成によれば、ケージユニットの後方側に一の駆動フレームを配置して１本の昇降用マストで昇降する１本構タイプの工事用エレベータと、ケージユニットの両側面側に一対の駆動フレームを配置して２本の昇降用マストで昇降する２本構タイプの工事用エレベータとで、ケージユニットの共通化を図ることができる。
従って、本発明により、製造コストの削減、並びに、工事用エレベータのリース元等の保管場所での保有資材の効率運用及び汎用性の向上を図ることができる工事用エレベータを提供することができる。
【０００９】
本発明の第２特徴構成は、前記１本構配置状態で配置される一の駆動フレームと、前記２本構配置状態で配置される一対の駆動フレームの夫々とが、共通の昇降用マストに対して昇降可能に取り付けられるように構成されている点にある。
【００１０】
本構成によれば、昇降用マストの強度や構成を適切に設定することにより、１本構タイプ用の昇降用マストと２本構タイプ用の昇降用マストとの共通化を図ることができる。これにより、昇降用マストの製造コストの削減を図ると共に、工事用エレベータの保管場所での保有資材の効率運用及び汎用性を一層向上することができる。
【００１１】
本発明の第３特徴構成は、前記ケージユニットが、前後側の夫々の開放部に取り付けられる一対のパネルモジュールを有すると共に、当該パネルモジュールが、前記開放部を覆う固定パネルモジュール、及び、前記開放部の開閉を行う扉パネルモジュールから選択可能に構成されている点にある。
【００１２】
本構成によれば、１本構タイプの工事用エレベータでは、ケージユニットの後方側に駆動フレームが配置されることから、前方側の開放部には扉パネルモジュールを選択して取り付けて開閉可能な出入り口を確保しながら、後方側の開放部には固定パネルモジュールを選択して取り付けて安全性を確保することができる。一方、２本構タイプの工事用エレベータでは、ケージユニットの両側面側の夫々に駆動フレームが配置されることから、前後側の何れか又は両方の開放部には扉パネルモジュールを選択して取り付けて出入り口を確保しながら、当該扉パネルモジュールを取り付けていない側の開放部には固定パネルモジュールを選択して取り付けて安全性を確保することができる。
【００１３】
本発明の第４特徴構成は、前記ケージユニットが、前後側の夫々の開放部に取り付けられる一対のパネルモジュールを有すると共に、当該一対のパネルモジュールの間に中間枠モジュールを介装可能又はその連結個数を変更可能に構成されている点にある。
【００１４】
本構成によれば、ケージユニットにおいて一対のパネルモジュールの間に介装する中間枠モジュールの有無又はその連結個数を変更するだけで、サイズ（容積）が異なるケージユニットを実現することができる。即ち、中間枠モジュールを介装する又はその連結個数を多くすれば、大型のケージユニットを有する工事用エレベータを構築することができ、逆に、中間枠モジュールを介装しない又はその連結個数を少なくすれば、小型のケージユニットを有する工事用エレベータを構築することができる。
【００１５】
本発明の第５特徴構成は、前記駆動フレームが、複数種の前記ケージユニットの夫々を支持する複数種の支持フレームを択一的に着脱可能に構成されている点にある。
【００１６】
本構成によれば、駆動フレームが、複数種のケージユニットを支持する複数種の支持フレームを択一的に着脱可能に構成されているので、例えば中間枠モジュールの介装の有無又はその連結個数を変更してサイズの異なる複数種のケージユニットを構成する場合には、所望のケージユニットの種類に対応した支持フレームを駆動フレームに装着するだけで、当該所望のケージユニットを駆動フレームに支持させることができる。
【図面の簡単な説明】
【００１７】
【図１】１本構小容量タイプの工事用エレベータの概略構成図
【図２】２本構タイプの工事用エレベータの概略構成図
【図３】１本構大容量タイプの工事用エレベータの概略構成図
【図４】小容量タイプのケージユニットの分解図
【図５】大容量タイプのケージユニットの分解図
【図６】別の形態の小容量タイプのケージユニットの分解図
【図７】１本構タイプ用の駆動フレームの概略構成図
【図８】別の形態の１本構タイプ用の駆動フレームの概略構成図
【図９】２本構タイプ用の駆動フレームの概略構成図
【発明を実施するための形態】
【００１８】
本発明の実施形態について図面に基づいて説明する。
本実施形態の工事用エレベータの種類としては、図１及び図３に示すような１本構タイプの工事用エレベータＥ１と、図２に示すような２本構タイプの工事用エレベータＥ２とがある。また、本実施形態では、１本構タイプの工事用エレベータＥ１として、互いにサイズ（容量）が異なるものとして、図１に示すような小容量工事用エレベータＥ１ａと、図３に示すような大容量工事用エレベータＥ１ｂとを挙げている。
【００１９】
何れの工事用エレベータＥ１ａ，Ｅ１ｂ，Ｅ２についても、工事対象の建物躯体に固定される昇降用マストＭと、当該昇降用マストＭに昇降可能に取り付けられる駆動フレーム３０ａ，３０ｂと、当該駆動フレーム３０ａ，３０ｂに固定されるケージユニットＣａ，Ｃｂとを備えて構成されている。即ち、１本構タイプの工事用エレベータＥ１については、ケージユニットＣａ，Ｃｂの後方側に一の駆動フレーム３０ａを配置して１本の昇降用マストＭで昇降するものとして構成されている。一方、２本構タイプの工事用エレベータＥ２については、ケージユニットＣａの両側面側に一対の駆動フレーム３０ｂを配置して２本の昇降用マストＭで昇降するものとして構成されている。
【００２０】
１本構タイプの小容量工事用エレベータＥ１ａ（図１参照）と、２本構タイプの工事用エレベータＥ２（図２参照）とは、共通の小容量タイプのケージユニットＣａを備えて構成されている。即ち、このケージユニットＣａは、一の駆動フレーム３０ａを後方側に配置する１本構配置状態（図１に示す状態）と、一対の駆動フレーム３０ｂの夫々を両側面側に配置する２本構配置状態（図２に示す状態）とで、駆動フレーム３０ａ，３０ｂの配置状態を選択可能に構成されている。このことで、１本構タイプの小容量工事用エレベータＥ１ａと、２本構タイプの工事用エレベータＥ２とは、部品共通化により製造コストが削減される。更には、このケージユニットＣａをリース元等の保管場所に保管するにあたり、当該保管したケージユニットＣａを、１本構タイプの小容量工事用エレベータＥ１ａと２本構タイプの工事用エレベータＥ２との両方に利用することができる。これにより、当該保管場所における保有資材の効率運用及び汎用性を向上することができる。
【００２１】
小容量タイプのケージユニットＣａは、図４に示すように、前後が開放された長方形の枠体からなるベース枠モジュール１５を備えている。
更に、そのベース枠モジュール１５の前後側の夫々の開放部には、一対のパネルモジュールＰが取り付けられている。このパネルモジュールＰとしては、種々のモジュールを取り付けることができるが、本実施形態では、ベース枠モジュール１５の開放部を覆う固定パネルモジュール１２、及び、ベース枠モジュール１５の開放部の開閉を行う扉パネルモジュール１０とが準備されている。そして、これら固定パネルモジュール１２及び扉パネルモジュール１０から選択したパネルモジュールＰが、ケージユニットＣａの前後夫々の開放部に取り付けられている。
【００２２】
具体的に、ベース枠モジュール１５の前方側の開放部には、正面視においてベース枠モジュール１５と同形状に構成されて前後が開放された長方形の枠体内に、前方側から人が出入りするための自動開閉扉１０ａを設けた扉パネルモジュール１０が取り付けられている。一方、ベース枠モジュール１５の後方側の開放部には、当該開放部を封鎖する左右一対の固定パネル１２ａを有する固定パネルモジュール１２が取り付けられている。
即ち、本実施形態における小容量タイプのケージユニットＣａは、前方側から後方側に向けて順に、扉パネルモジュール１０、ベース枠モジュール１５、及び、固定パネルモジュール１２が積層状態で連結されている。更に、このように構成されたケージユニットＣａの内部側底面には、全体に亘って小容量用踏み板１８が敷設されている。また、ケージユニットＣａの上面には、作業用の手摺２１などが設けられる。
【００２３】
本実施形態の１本構タイプの大容量工事用エレベータＥ１ｂ（図３参照）には、上述した小容量タイプのケージユニットＣａ（図４参照）よりもサイズ（容量）が大きい大容量タイプのケージユニットＣｂを備えて構成されている。
大容量タイプのケージユニットＣｂは、図５に示すように、上述した小容量タイプのケージユニットＣａ（図４参照）と同じ扉パネルモジュール１０、ベース枠モジュール１５、及び、固定パネルモジュール１２を備える。更に、前方側のパネルモジュールＰとして設けられた扉パネルモジュール１０と後方側のパネルモジュールＰとして設けられた固定パネルモジュール１２との間には、正面視においてベース枠モジュール１５と同形状に構成されて前後が開放された長方形の枠体からなる中間枠モジュール１６が介装されている。更に、このように構成されたケージユニットＣｂの内部側底面には、全体に亘って大容量用踏み板１９が敷設されている。また、ケージユニットＣｂの上面には、作業用の手摺２２などが設けられる。
【００２４】
このように構成された大容量タイプのケージユニットＣｂは、小容量タイプのケージユニットＣａと比較して、上記中間枠モジュール１６を追加した分、前後方向の奥行きが大きいものとして構成されることになる。
【００２５】
図４に示す小容量タイプのケージユニットＣａ、及び、図５に示す大容量タイプのケージユニットＣｂは、１本構タイプの工事用エレベータＥ１（図１及び図３参照）に採用されるものとして構成されている。即ち、固定パネルモジュール１２の左右一対の固定パネル１２ａの間に隙間が形成されており、その隙間を塞ぐ形態で、一本構タイプ用の駆動フレーム３０ａが、固定パネルモジュール１２の後方側に配置されることになる。
一方、これらケージユニットＣａ，Ｃｂを２本構タイプの工事用エレベータＥ２（図２参照）に採用する場合には、固定パネルモジュール１２が隙間がないものに変更され、２本構タイプ用の駆動フレーム３０ｂが、ベース枠モジュール１５の両側面側に配置されることになる。
【００２６】
２本構タイプの工事用エレベータＥ２については、後方側には駆動フレーム３０ａ，３０ｂが配置されないことから、当該後方側からも人が出入り可能なケージユニットＣａ’を採用することができる。
かかるケージユニットＣａ’は、図６に示すように、上述した小容量タイプのケージユニットＣａ（図４参照）と同じ扉パネルモジュール１０、ベース枠モジュール１５、及び小容量用踏み板１８を備える。また、ベース枠モジュール１５の後方側の開放部に取り付けられるパネルモジュールＰとしては、上述した小容量タイプのケージユニットＣａで設けた固定パネルモジュール１２ではなく、後方側から人が出入りするための自動開閉扉１１ａを有する扉パネルモジュール１１が取り付けられている。また、ケージユニットＣａ’の上面には、作業用の手摺２３などが設けられる。
即ち、パネルモジュールＰとしては、固定パネルモジュール１２と前方側用の扉パネルモジュール１０に加えて、後方側用の扉パネルモジュール１１が準備されている。そして、このように準備されたモジュール１０，１１，１２から選択されたパネルモジュールＰを、ケージユニットＣａ，Ｃｂの前後夫々の開放部に取り付けることができる。
【００２７】
尚、上述のケージユニットＣａ，Ｃｂ，Ｃａ’において、各種パネルモジュールＰ、中間枠モジュール１６、及びベース枠モジュール１５同士の結合や、これらケージユニットＣａ，Ｃｂ，Ｃａ’に対する駆動フレーム３０ａ，３０ｂの結合は、ボルトやナット等の締結手段により着脱自在に行われる。このことにより、これらの組合せを容易に変更することができ、種々のケージユニットＣａ，Ｃｂ，Ｃａ’並びに工事用エレベータＥ１，Ｅ２を構築することができる。
【００２８】
１本構タイプ用の駆動フレーム３０ａは、図７及び図８に示すように、１本構タイプ用の駆動部Ｄ１の一部として設けられている。駆動フレーム３０ａは、上下に長尺な長方形状に棒鋼材や鋼管材を枠組みしてなるフレームとして構成されている。駆動フレーム３０ａの上下夫々の箇所の後方側には、隣接する昇降用マストＭに係合して当該昇降用マストＭに沿った上下移動をガイドするガイドローラ３１が設けられている。また、駆動フレーム３０ａには、昇降用マストＭに設けられたラックギア（図示省略）に噛み合うピニオンギア（図示省略）を回転駆動する形態で昇降のための駆動力を出力する駆動用電動機３３や、落下を防止するために昇降用マストＭに対して自動的にブレーキ力を働かせる自動落下防止装置３５等が設けられている。
【００２９】
１本構タイプ用の駆動部Ｄ１には、ケージユニットＣａ，Ｃｂを支持する支持フレーム４０が駆動フレーム３０ａに対して着脱自在に設けられている。支持フレーム４０は、ケージユニットＣａ，Ｃｂの底面の形状に合わせて水平方向に延出する長方形状に棒鋼材や鋼管材を枠組みしてなるフレームとして構成されている。そして、この支持フレーム４０は、駆動フレーム３０ａの下方側前面から前方に向けて延出する姿勢で当該駆動フレーム３０ａにボルトやナット等の締結手段により着脱自在に固定されている。
よって、この１本構タイプ用の駆動部Ｄ１は、駆動フレーム３０ａの前方側に固定された支持フレーム４０の上面にケージユニットＣａ，Ｃｂを載置して支持すると共に、駆動フレーム３０ａの後方側に配置された昇降用マストＭに沿って昇降駆動することができる。
【００３０】
上記支持フレーム４０としては、図１及び図７に示すように、上述した小容量タイプのケージユニットＣａを載置させて支持可能な小型支持フレーム４０ａと、図３及び図８に示すように、上述した大容量タイプのケージユニットＣｂを載置させて支持可能な大型支持フレーム４０ｂとが準備されている。そして、これら準備された支持フレーム４０ａ，４０ｂの中から、所望のケージユニットＣａ，Ｃｂのサイズに対応したものを選択して駆動フレーム３０ａに装着するだけで、当該所望のケージユニットＣａ，Ｃｂを駆動フレーム３０ａに支持させることができる。
【００３１】
２本構タイプ用の駆動フレーム３０ｂは、図９に示すように、２本構タイプ用の駆動部Ｄ２の一部として設けられている。駆動フレーム３０ｂは、１本構タイプ用の駆動フレーム３０ａ（図７及び図８参照）と同様に、上下に長尺な長方形状に棒鋼材や鋼管材を枠組みしてなるフレームとして構成されている。駆動フレーム３０ｂの上下夫々の箇所の外方側には、隣接する昇降用マストＭに係合して当該昇降用マストＭに沿った上下移動をガイドするガイドローラ３１が設けられている。また、駆動フレーム３０ｂには、昇降用マストＭに設けられたラックギア（図示省略）に噛み合うピニオンギア３４を回転駆動する形態で昇降のための駆動力を出力する駆動用電動機３３や、落下を防止するために昇降用マストＭに対して自動的にブレーキ力を働かせる自動落下防止装置３５等が設けられている。また、夫々の駆動フレーム３０ｂに設けられた夫々の自動落下防止装置３５は、後述する支持フレーム４２内を水平方向に沿って設けられた連結シャフト４３により連結されている。この構成により夫々の自動落下防止装置３５は互いに同期して作動する。
【００３２】
２本構タイプ用の駆動部Ｄ２には、一対の駆動フレーム３０ｂが、昇降用マストＭとの連結部とは反対側を対向させた状態で設けられている。そして、一対の駆動フレーム３０ｂの間には、ケージユニットＣａ，Ｃｂを支持する支持フレーム４２が設けられている。支持フレーム４２は、ケージユニットＣａ，Ｃｂの底面の形状に合わせて水平方向に延出する長方形状に棒鋼材や鋼管材を枠組みしてなるフレームとして構成されている。そして、この支持フレーム４２の両側端部が、夫々の駆動フレーム３０ｂに固定されている。
よって、この２本構タイプ用の駆動部Ｄ２は、両側面側に設けられた一対の駆動フレーム３０ｂの間に固定された支持フレーム４２の上面にケージユニットＣａ，Ｃｂを載置して支持した状態で、一対の駆動フレーム３０ａの夫々の更に外方側に配置された２本の昇降用マストＭに沿って昇降駆動することができる。
【００３３】
更に、上記１本構配置状態で配置される一の駆動フレーム３０ａ、及び、２本構配置状態で配置される一対の駆動フレーム３０ｂの夫々は、共通の昇降用マストＭに対して昇降可能に取り付けられるように構成されている。即ち、これら駆動フレーム３０ａの夫々は、同じタイプの昇降用マストＭに対して昇降可能に取り付け可能に構成されている。更には、昇降用マストＭは、１本構タイプの工事用エレベータＥ１及び２本構タイプの工事用エレベータＥ２の何れに利用される場合においても、当該工事用エレベータＥ１，Ｅ２の荷重に対して十分に耐える強度を有するように、構成部材の仕様や構造が適宜設定されている。
尚、本実施形態では、共通の昇降用マストＭを利用したが、１本構配置状態で配置される一の駆動フレーム３０ａと、２本構配置状態で配置される一対の駆動フレーム３０ｂとで、別の昇降用マストを利用するように構成しても構わない。
【００３４】
〔別実施形態〕
（１）上記実施形態では、小容量工事用エレベータＥ１ａ（図１参照）のケージユニットＣａと、大容量工事用エレベータＥ１ｂ（図３参照）のケージユニットＣｂとは、図４及び図５に示すように、前後一対のパネルモジュールＰの間に介装される中間枠モジュール１６の有無により、互いにサイズ（容量）が異なるものとして構成したが、このように介装される中間枠モジュール１６を前後方向に沿って２つ以上連結し、その連結個数を変更することにより、互いにサイズ（容量）が異なる複数種のケージユニットを構築しても構わない。
【００３５】
（２）上記実施形態では、１本構タイプの工事用エレベータＥ１の駆動フレーム３０ａを、サイズが異なるケージユニットＣａ、Ｃｂを支持するための複数種の支持フレーム４０ａ，４０ｂを択一的に着脱可能に構成したが、サイズが異なるケージユニットＣａ、Ｃｂ毎に専用の駆動フレームを構成しても構わない。
【符号の説明】
【００３６】
１０，１１            扉パネルモジュール
１２                  固定パネルモジュール
１６                  中間枠モジュール
３０ａ，３０ｂ        駆動フレーム
４０                  支持フレーム
４０ａ                小型支持フレーム（支持フレーム）
４０ｂ                大型支持フレーム（支持フレーム）
４２                  支持フレーム
Ｃａ，Ｃａ’，Ｃｂ    ケージユニット
Ｅ１，Ｅ１ａ，Ｅ１ｂ  １本構タイプの工事用エレベータ
Ｅ２                  ２本構タイプの工事用エレベータ
Ｍ                    昇降用マスト
Ｐ                    パネルモジュール
【図１】
2019014567.tif 000003
【図２】
2019014567.tif 000004
【図３】
2019014567.tif 000005
【図４】
2019014567.tif 000006
【図５】
2019014567.tif 000007
【図６】
2019014567.tif 000008
【図７】
2019014567.tif 000009
【図８】
2019014567.tif 000010
【図９】
2019014567.tif 000011